(57)【要約】      （修正有）【課題】ホームノードＢ（ＨＮＢ）サービスをサポートするための方法および装置を提供する。【解決手段】無線送受信ユニットＷＴＲＵは、ＨＮＢからＨＮＢアクセス制限情報を受信し、ＨＮＢアクセス制限情報に基づいて、ＨＮＢへのアクセスが許可されている場合に、ＨＮＢにアクセスする。ＨＮＢアクセス制限情報は、限定加入者グループ識別情報、ＨＮＢセルが利用可能かどうかを示すステータスビット、ＨＮＢへのアクセスを許可されているＷＴＲＵの識別情報及びセルへのアクセスが禁止されているかどうかを示す情報を有する。ＷＴＲＵは、現在接続中のセルにおける信号強度が閾値を上回る場合であっても、セル再選択のための測定をトリガする。【選択図】図１
2014239487.tif 000002
【特許請求の範囲】
【請求項１】
無線送受信ユニット（ＷＴＲＵ）が、セルが予約済みであることの表示を、ノードＢから受信するステップと、
前記ＷＴＲＵが、限定加入者グループ（ＣＳＧ）ブロードキャストを受信するステップと、
前記ＷＴＲＵが、前記受信されたＣＳＧブロードキャストに基づいて、セルが予約済みであることの前記表示を無視するステップと
を備えることを特徴とする方法。
【請求項２】
前記ＷＴＲＵが、限定加入者グループ識別子（ＣＳＧ  ＩＤ）を受信するステップをさらに備えることを特徴とする請求項１に記載の方法。
【請求項３】
前記ＣＳＧブロードキャストは、前記セルが利用可能であるかどうかを示しているステータスビットを含むことを特徴とする請求項１に記載の方法。
【請求項４】
前記ＣＳＧブロードキャストは、他のＷＴＲＵによって解釈され得ないものものとして構成されることを特徴とする請求項１に記載の方法。
【請求項５】
前記他のＷＴＲＵは、ホームノードＢ（ＨＮＢ）機能をサポートしないことを特徴とする請求項４に記載の方法。
【請求項６】
前記他のＷＴＲＵは、レガシＷＴＲＵからなることを特徴とする請求項４に記載の方法。
【請求項７】
前記表示は、前記レガシＷＴＲＵが前記セルへアクセスするのを禁止されることを示していることを特徴とする請求項１に記載の方法。
【請求項８】
前記ＷＴＲＵは、リリース８（Ｒ８）ＷＴＲＵであることを特徴とする請求項４に記載の方法。
【請求項９】
前記ＣＳＧブロードキャストは、前記ノードＢによるシステム情報ブロック（ＳＩＢ）ブロードキャストの中に含まれていることを特徴とする請求項１に記載の方法。
【請求項１０】
前記ＣＳＧブロードキャストは、ＣＳＧ機能をサポートするＷＴＲＵが、前記セルへのアクセスを許可されていることの表示を含むことを特徴とする請求項１に記載の方法。
【請求項１１】
前記ＣＳＧブロードキャストは、情報要素（ＩＥ）を含むことを特徴とする請求項１に記載の方法。
【請求項１２】
ノードＢから、セルが予約済みであることの表示を受信し、
限定加入者グループ（ＣＳＧ）ブロードキャストを受信し、および、
前記受信されたＣＳＧブロードキャストに基づいて、セルが予約済みであることの前記表示を無視する
よう適合されたコントローラ
を備えたことを特徴とする無線送受信ユニット（ＷＴＲＵ）。
【請求項１３】
前記コントローラは、限定加入者グループ識別子（ＣＳＧ  ＩＤ）を受信するようさらに適合されたことを特徴とする請求項１２に記載のＷＴＲＵ。
【請求項１４】
前記ＣＳＧブロードキャストは、前記セルが利用可能であるかどうかを示しているステータスビットを含むことを特徴とする請求項１２に記載のＷＴＲＵ。
【請求項１５】
前記ＣＳＧブロードキャストは、他のＷＴＲＵによって解釈され得ないものものとして構成されることを特徴とする請求項１２に記載のＷＴＲＵ。
【請求項１６】
前記他のＷＴＲＵは、ホームノードＢ（ＨＮＢ）機能をサポートしないことを特徴とする請求項１５に記載のＷＴＲＵ。
【請求項１７】
前記他のＷＴＲＵは、レガシＷＴＲＵからなることを特徴とする請求項１５に記載のＷＴＲＵ。
【請求項１８】
前記表示は、前記レガシＷＴＲＵが前記セルへアクセスするのを禁止されることを示していることを特徴とする請求項１７に記載のＷＴＲＵ。
【請求項１９】
前記ＷＴＲＵは、リリース８（Ｒ８）ＷＴＲＵであることを特徴とする請求項１５に記載のＷＴＲＵ。
【請求項２０】
前記ＣＳＧブロードキャストは、前記ノードＢによるシステム情報ブロック（ＳＩＢ）ブロードキャストの中に含まれていることを特徴とする請求項１２に記載のＷＴＲＵ。
【請求項２１】
前記ＣＳＧブロードキャストは、ＣＳＧ機能をサポートするＷＴＲＵが、前記セルへのアクセスを許可されていることの表示を含むことを特徴とする請求項１２に記載のＷＴＲＵ。
【請求項２２】
前記ＣＳＧブロードキャストは、情報要素（ＩＥ）を含むことを特徴とする請求項１２に記載のＷＴＲＵ。
【発明の詳細な説明】
【背景技術】
【０００１】
本発明は、無線通信に関する。
【０００２】
３Ｇ（第３世代）ネットワークの進化、および使用されるＷＴＲＵ（無線送受信ユニット）の数の増加に伴い、通信事業者は、データレートがより高く、コストが引き下げられた新しいサービスのためのソリューションを追求している。ＨＮＢ（ホームノードＢ（ｈｏｍｅ  Ｎｏｄｅ  Ｂ））の導入は、実行可能な候補ソリューションと考えられており、３ＧＰＰ（第３世代パートナシッププロジェクト）リリース８の一部として現在研究されている。ＨＮＢは、住宅またはオフィスなど、比較的小さなサービスエリアに対してサービスを提供する。ＨＮＢは、ＷＬＡＮ（無線ローカルエリアネットワーク）のＡＰ（アクセスポイント）に類似した役割を有する。セルラカバレージが貧弱または存在しない場所において、サービスを提供することができる。加入者は一般に、ＨＮＢを所有し、その最終的な配備位置を管理する。ＨＮＢからネットワークまでのバックホールリンク（ｂａｃｋｈａｕｌ  ｌｉｎｋ）は、従来のアクセス技術（例えば、ＤＳＬ（デジタル加入者回線）、ケーブルモデム、無線など）を用いて達成することができる。１組のＨＮＢが、コアネットワークへのインタフェースを提供するＨＮＢ  ＧＷ（ゲートウェイ）に接続される。
【０００３】
加入者は、ＣＳＧ（限定加入者グループ（ｃｌｏｓｅｄ  ｓｕｂｓｃｒｉｂｅｒ  ｇｒｏｕｐ））の概念を使用することによって、ＨＮＢを「所望の」または「好ましい」ＨＮＢとして構成することができる。ＣＳＧは、ＨＮＢにアクセスすることを許可されたＷＴＲＵを識別する。ＨＮＢセルは、ＣＳＧの一部である１組のＷＴＲＵからのアクセスのみを可能とするように構成することができる。これは、ＷＴＲＵの電源投入時の初期アクセス登録、またはアイドルモード中のローミング（ｒｏａｍｉｎｇ）と密接な関係を有する。アクセス制御問題に対処するために、従来（リリース８以前）のモビリティ管理シグナリングが使用できるが、効率的ではない。ＷＴＲＵは、セルにキャンプオン（ｃａｍｐ  ｏｎ）すると、またはセルを再選択すると、ＬＡ（ロケーションエリア：ｌｏｃａｔｉｏｎ  ａｒｅａ）を変更するたびに、ＬＡ更新メッセージをネットワークモビリティ管理エンティティに送信する。ＬＡは、ＳＩＢ１（システム情報ブロック（ｓｙｓｔｅｍ  ｉｎｆｏｒｍａｔｉｏｎ  ｂｌｏｃｋ）１）メッセージ内のＮＡＳ（非アクセス層：ｎｏｎ−ａｃｃｅｓｓ  ｓｔｒａｔｕｍ）固有情報でブロードキャストされる。ＷＴＲＵがＨＮＢセルのＣＳＧの一部でない場合、ネットワークは、ロケーションエリア拒否メッセージを用いて応答する。その場合、ＷＴＲＵは、その「禁止ＬＡ」リストにこのＬＡを追加することができる。
【発明の概要】
【発明が解決しようとする課題】
【０００４】
アイドルモードのＷＴＲＵは、そのＷＴＲＵをＣＳＧ内にもたないＨＮＢが高度に密集しているエリアを動き回っている場合、多くの登録の試みを（無駄に）行うことがある。これは、シグナリング負荷の増大を招き、回避されるべきである。
【０００５】
セル再選択に関して、「好ましい」ＨＮＢの付近にいるＷＴＲＵは、好ましいＨＮＢセルを再選択すべきである。これは、このセル再選択を促すための何らかの機構が整備されていなければならないことを暗に示唆している。３ＧＰＰリリース７以前の場合、近隣セルに関するセル再選択測定は、現在のセルの品質レベル（Ｓ）が、Ｎserv個のＤＲＸサイクルにわたって満たされない場合、またはＳintrasearch、Ｓintersearch、もしくはＳsearchRATmよりも小さい場合に限ってトリガされる。これらのパラメータは、システム情報の一部としてブロードキャストされる。これは、ＷＴＲＵが好ましいＨＮＢセルの付近にいる場合、常に好ましいＨＮＢセルを選択すべきかどうかという問題を提出する。特に、測定をトリガするための付加的な機構が必要とされ、ひとたびトリガされたならば、そのＨＮＢセルが好んで選ばれるべきである。加えて、ＨＮＢの普及度（ｐｅｎｅｔｒａｔｉｏｎ）はきわめて高くなり得るので、ＷＴＲＵがアクセス不可能なセルにおいて行う測定の回数を制限するための方法が必要とされる。
【０００６】
すべてのＷＴＲＵは、緊急通報を掛けるために、ＣＳＧセルへのキャンプオンを許可される必要がある場合がある。位置確認に関して、通信事業者は、緊急サービスを提供するために、ＨＮＢの所在位置を知ることができなければならない。
【０００７】
また、ＨＮＢに関する別の問題は、ＵＲＡ＿ＰＣＨ状態にあるＷＴＲＵが、ＵＲＡ（ＵＴＲＡＮルーティングエリア（ＵＴＲＡＮ  ｒｏｕｔｉｎｇ  ａｒｅａ））境界を横断するときに、ＵＲＡ更新メッセージを送信することである。ＵＲＡは一般に、隣接セルのグループを包含し、ＷＴＲＵがセルをまたいで移動する場合に、再選択シグナリングの数を低減するように定義される。ネットワークは、ＵＲＡレベルでＷＴＲＵの所在位置を知っており、ＵＲＡに属するすべてのセルにおいてＷＴＲＵを呼び出す。加えて、各セルは、２つ以上のＵＲＡに属することができる。ＵＲＡのリストは、システム情報の一部としてセルからブロードキャストされる。ＨＮＢの配備に関して、ＨＮＢは、物理的位置に結び付けられず、ＨＮＢのユーザまたは所有者は、ＨＮＢの配置に関してある程度の柔軟性を有する。したがって、セルがＵＲＡの静的リストに属する方式は、ＨＮＢのシナリオにおいては適用できないことがある。加えて、柔軟なＨＮＢ配備は、アイドルモード呼び出し手順が改善できることを暗に示唆していることもある。
【課題を解決するための手段】
【０００８】
ＨＮＢサービスをサポートする方法および装置が開示される。ＷＴＲＵは、ＨＮＢからＨＮＢアクセス制限情報を受信し、ＨＮＢアクセス制限情報に基づいて、ＨＮＢへのアクセスが許可されていると決定された場合に、ＨＮＢにアクセスする。ＨＮＢアクセス制限情報は、ＣＳＧ  ＩＤ（限定加入者グループ識別情報）、ＨＮＢセルが利用可能かどうかを示すステータスビット、ＨＮＢへのアクセスを許可されているＷＴＲＵの識別情報（ｉｄｅｎｔｉｔｙ）、セルへのアクセスが禁止／予約（ｂａｒｒｅｄ／ｒｅｓｅｒｖｅｄ）されているかどうかを示す情報とすることができる。ＷＴＲＵは、セル再選択のための近隣セルに関する測定を実行することができる。利用可能な場合にはＷＴＲＵが適切なＨＮＢセルを使用することを保証するために、現在接続中のセルにおける信号強度がセル再選択の閾値を上回る場合であっても、測定をトリガすることができる。測定は、手動で、定期的に、ネットワークからの命令のもとで、または近くに所在するＨＮＢセルについての情報を含む近隣セルリストに基づいて、トリガすることができる。ＷＴＲＵがそのＣＳＧの一部であるＨＮＢセルを含むマクロセル（ｍａｃｒｏ  ｃｅｌｌ）にＷＴＲＵが入った場合、パラメータＳintrasearchおよびＳintersearchをより低い値に設定することができる。測定は、検出されたＬＡ（ロケーションエリア）またはセル識別情報に基づいて、ＨＮＢを含むマクロセルにＷＴＲＵが入ったと決定された場合に、トリガすることができる。アイドルモードのＷＴＲＵは、ＬＡ内のすべてのセルにおいて呼び出しを受けることができる。このＬＡが１つ以上のＨＮＢ  ＧＷ（ゲートウェイ）をまたいでいる場合、ＷＴＲＵは、最初に、最後にアクセスしたＨＮＢ  ＧＷにおいて呼び出しを受けることができ、最後にアクセスしたＨＮＢ  ＧＷを通してＷＴＲＵが見つからなかった場合、次に、ＬＡを構成する残りのＧＷにおいて呼び出しを受けることができる。ＨＮＢセル内のＵＲＡリストは、可能なＨＮＢ再配置を考慮して、動的に変更することができる。または、ＨＮＢアプリケーション向けにＵＲＡの概念を変更することもできる。
【発明の効果】
【０００９】
本発明により、アイドルモードのＷＴＲＵは、シグナリング負荷の増大を招く、多くの登録の試みを（無駄に）行うことを防止する。また、ＷＴＲＵがアクセス不可能なセルにおいて行う測定の回数を制限するための方法が提供される。
【図面の簡単な説明】
【００１０】
【図１】ＨＮＢ配備シナリオの一例を示す図である。
【図２】ＨＮＢ配備のためのネットワークアーキテクチャの一例を示す図である。
【図３】ＷＴＲＵの一例についてのブロック図である。
【図４】ＨＮＢ  ＧＷなど、ＨＮＢサービスをサポートするための装置のブロック図である。
【図５】ノードＢの一例についてのブロック図である。
【発明を実施するための形態】
【００１１】
本発明のより詳細な理解は、添付の図面と併せて例として与えられた、以下の説明から得ることができる。
【００１２】
「ＷＴＲＵ」という用語は、これ以降で言及される場合、ＵＥ（ユーザ機器）、移動局、固定もしくは移動加入者ユニット、ページャ、セルラ電話、ＰＤＡ（携帯情報端末）、コンピュータ、または無線環境で動作可能な他の任意のタイプのユーザデバイスを含むが、それらに限定されない。「ノードＢ」という用語は、これ以降で言及される場合、基地局、サイトコントローラ、ＡＰ（アクセスポイント）、または無線環境で動作可能な他の任意のタイプのインタフェース装置を含むが、それらに限定されない。「ＨＮＢ  ＧＷ」という用語は、これ以降で言及される場合、ＨＮＢとコアネットワークの間でインタフェースをとるために使用される任意の装置を含む。
【００１３】
「ＨＮＢ機能をサポートする」という用語は、ＨＮＢ特有の新しい情報を読み取り、使用する、またＨＮＢ特有の新しい手順をサポートし、実行する、ＷＴＲＵの能力のことを指す。「Ｒ８  ＷＴＲＵ」という用語は、ＨＮＢ機能をサポートする能力を有するＷＴＲＵのことを指し、「非Ｒ８  ＷＴＲＵ」または「レガシＷＴＲＵ」という用語は、そのような能力をもたないＷＴＲＵのことを指す。ＨＮＢは、Ｒ８  ＷＴＲＵとＲ８より前の（レガシの）ＷＴＲＵの両方をサポートすべきである。Ｒ８  ＷＴＲＵは、新しい機能を利用することができるが、レガシＷＴＲＵは、新しいＩＥ（情報要素）のいずれについても読み取りまたは解釈を行うことができず、新しい手順のいずれについても使用することができない。「低速（Low speed）」という用語は、ＷＴＲＵがＨＮＢセルにアクセスすることを可能にするＷＴＲＵ速度のことを指す。「低速」の限界は、ネットワークによって制御することができる。
【００１４】
図１は、ＨＮＢ配備シナリオの一例を示す図である。ＨＮＢ１２０ａ、１２０ｂ、１２０ｃが、３戸の住宅（図示されず）内に配備され、ＨＮＢ１２０ａ、１２０ｂ、１２０ｃの各々は、より高位のネットワークノード１４０（例えばＨＮＢ  ＧＷ）に接続される。ＨＮＢ１２０ａ、１２０ｂ、１２０ｃは、それぞれセル１２２ａ、１２２ｂ、１２２ｃをカバーする。ＨＮＢ１２０ａ、１２０ｂは、マクロノードＢ１３０によって制御される３Ｇマクロセル１３２によってカバーされる。ＨＮＢ１２０ｃは、３Ｇカバレージは存在しないが、別のシステムによってカバーされるエリア内に配備される。ＷＴＲＵ１１０は、現在、ＨＮＢ１２０ａの近くにいるが、自由に動き回ることができる。例えば、ＨＮＢ１２０ａに接続されたＷＴＲＵ１１０は、ＨＮＢ１２０ｂに、３Ｇマクロセル１３２に、または他のシステムセルに移動することができる。
【００１５】
図２は、ＨＮＢ配備のためのネットワークアーキテクチャの一例を示す図である。ネットワーク２００は、ＨＮＢアクセスネットワーク１４２と、コアネットワーク１５０とを含む。ＨＮＢアクセスネットワーク１４２は、少なくとも１つのＨＮＢ１２０と、少なくとも１つのＨＮＢ  ＧＷ（ゲートウェイ）１４０とを含む。ＨＮＢ１２０は、３０ｋｍ／時などよりも遅い、低速のＷＴＲＵ１１０をサポートする。ＨＮＢ１２０は、ＨＮＢ  ＧＷ１４０に接続され、ＨＮＢ  ＧＷ１４０は、Ｉｕに類似したインタフェースを介してコアネットワーク１５０と直接通信する。
【００１６】
アクセス制限に関する実施形態が以下で開示される。
【００１７】
第１の実施形態によれば、ＷＴＲＵ１１０およびＨＮＢ１２０は、ＣＳＧ＿ＩＤ（限定加入者グループ識別情報）を有するように構成される。上で述べられたように、ＨＮＢのＣＳＧに属するＷＴＲＵだけが、ＨＮＢ１２０へのアクセスを許可される。ＣＳＧ＿ＩＤは、ＨＮＢ１２０のＣＳＧを識別する。ＨＮＢ１２０は、手動で、または何らかのＯＡＭ（運用および保守（ｏｐｅｒａｔｉｏｎ  ａｎｄ  ｍａｉｎｔｅｎａｎｃｅ））手順を通して構成することができる。ＷＴＲＵ１１０は、手動で、ＮＡＳ（非アクセス層）シグナリングを通して、またはＡＳ（アクセス層（ａｃｃｅｓｓ  ｓｔｒａｔｕｍ））シグナリングを通して構成することができる。ＨＮＢ１２０は、システム情報の一部としてＣＳＧ＿ＩＤをブロードキャストすることができ、同じＣＳＧ＿ＩＤを有するように構成されたＷＴＲＵだけが、ＨＮＢ１２０への登録を試みることを許可される。レガシＷＴＲＵは、ＣＳＧ＿ＩＤを解釈することができず、ＨＮＢ１２０を介したネットワークへの登録の試みを防止するために代替方法を必要とする。
【００１８】
第２の実施形態によれば、ＨＮＢ１２０は、そのＣＳＧ内のすべてのＷＴＲＵを追跡することができ、ＣＳＧ内のすべてのＷＴＲＵがＨＮＢ１２０に登録または接続されている場合、ＨＮＢ１２０は、セルが利用可能でないことを通知するステータスビットを（ＣＳＧに属さない）他のＷＴＲＵにブロードキャストすることができる。この通知は、他の基準に基づいて送信することもできる。例えば、この通知は、高いアップリンク負荷もしくはダウンリンク負荷、多すぎる登録済みＷＴＲＵ、または高いバックホール負荷などに基づいて、セルが利用可能でないと決定されたときに、送信することができる。あるいは、ＨＮＢ１２０は、そのビジーステータス（セルの閉鎖（barring）など）を通知するために、他の機構を使用することもできる。これは、ＨＮＢ１２０が、現在登録または接続されていないＷＴＲＵに対してのみセルを禁止することを必要とする。
【００１９】
第３の実施形態によれば、ＨＮＢ１２０は、ＨＮＢセルにアクセスすることを許可されたＷＴＲＵの識別コード（ｉｄｅｎｔｉｆｉｃａｔｉｏｎ）をシステム情報でブロードキャストする。ＷＴＲＵ１１０は、識別コードを受信し、そのアドレスとこの情報とを相互参照して、ＷＴＲＵ１１０がアクセスを許可されているかどうかを決定する。例えば、ＷＴＲＵは、グループ化することができ、ＧＲＯＵＰ＿ＩＤ（グループ識別情報）を通して識別することができる。グループ化は、アイドルモードにあるＷＴＲＵの識別情報の１つ（例えばＩＭＳＩ（国際移動加入者識別情報（ｉｎｔｅｒｎａｔｉｏｎａｌ  ｍｏｂｉｌｅ  ｓｕｂｓｃｒｉｂｅｒ  ｉｄｅｎｔｉｔｙ）））に基づいて行うことができる。ＨＮＢ  １２０は、そのＣＳＧの一部であるすべてのＧＲＯＵＰ＿ＩＤをブロードキャストする。ＷＴＲＵ１１０は、これらのグループの１つの一部である場合に、ＨＮＢ１２０を介してネットワークに登録しようと試みる。これは、グループに属するＷＴＲＵだけが登録を試みるので、登録を試みる回数を減少させる。
【００２０】
どのグループがＣＳＧの一部であるかを示すために、ビットマスク内のフラグを使用することができる。マスク内のビットの数は、グループの数に対応することができる。Ｋビットのマスクは、Ｋ個のグループに対応し、グループは、対応するビットが「１」である場合にＣＳＧの一部となる。例えば、１６ビットマスクの００００  １１００  ００００  ０００１は、グループ０、１０、１１がこのＣＳＧの一部であることを含意することができ、ここで、最下位ビットはグループ０の、最上位ビットはグループ１５のフラグとして使用される。各ＣＳＧに属するＷＴＲＵの数が増加するのに伴い、必要とされるより多くのＧＲＯＵＰ＿ＩＤを収容するために、ビットマスクのサイズを増加させることができる。
【００２１】
第４の実施形態によれば、レガシＷＴＲＵがＨＮＢ１２０にアクセスするのを防止するため、ＨＮＢ１２０は、「禁止中」、「さらなる拡張のために予約済」、または「通信事業者が使用するために予約済」としてセルをブロードキャストすることができる。これらの制限を通知するメッセージを検出した場合、レガシＷＴＲＵは、ＨＮＢセルへのアクセスを差し控える。セルが「禁止中」と表示されている場合、ＨＮＢは、セル選択／再選択をさらに適合させるために、「周波数内セル再選択インジケータ（ｉｎｔｒａ−ｆｒｅｑｕｅｎｃｙ  ｃｅｌｌ  ｒｅｓｅｌｅｃｔｉｏｎ  ｉｎｄｉｃａｔｏｒ）」を使用することができる。例えば、ＨＮＢ１２０がマクロノードＢ１３０とは別個の周波数上にある場合、ＨＮＢ１２０は、情報要素「周波数内セル再選択インジケータ」を「非許可」としてセルをブロードキャストすることもでき、これは、レガシＷＴＲＵの将来のセル再選択の試みから周波数全体を禁止する。
【００２２】
将来の拡張のために予約済としてセルをブロードキャストすることは、セルを禁止し、周波数を将来のセル再選択において使用できなくする効果を有する。結果として、ＨＮＢ  １２０とマクロノードＢ１３０は、別個の周波数上にあることが必要とされる。通信事業者が使用するために予約済としてセルをブロードキャストすることは、（クラス０〜９および１２〜１４のすべてのＷＴＲＵに対して）セルを禁止し、周波数を将来のセル再選択において使用できなくする効果を有する。結果として、ＨＮＢ１２０とマクロノードＢ１３０は、別個の周波数上にあることが必要とされる。
【００２３】
セルがＨＮＢセルであることを通知して、Ｒ８  ＷＴＲＵ（ＨＮＢ機能をサポートするＷＴＲＵ）がＨＮＢセルにアクセスできるようにするために、追加的な通知を必要とすることがある。例えば、これは、表１に示されるような、セルがＨＮＢセルであることを通知する新しい２ビットＩＥ（Ｃｅｌｌ＿Ｓｔａｔｕｓビット）によって行うことができる。
【００２４】
【表１】
2014239487.tif 000003
【００２５】
または、Ｒ８  ＷＴＲＵは、このセルからのＣＳＧブロードキャストなど、セルから送信される他のＳＩＢ情報、または他の任意のＨＮＢ専用情報を用いて、セルがＨＮＢセルであることを暗黙的に検出することもできる。セルがＨＮＢセルであると決定された場合、Ｒ８  ＷＴＲＵは、セルの禁止を無視し、セルへの接続またはキャンプオンを試みる。
【００２６】
ＨＮＢに移行するためのセル再選択（ｃｅｌｌ  ｒｅｓｅｌｅｃｔｉｏｎ  ｔｏ  ＨＮＢ）に関する実施形態が以下で開示される。
【００２７】
従来のセル再選択手順は、現在接続中のセルの信号強度が設定閾値を下回った場合に、他の周波数または他のセルの測定を行うことを開始する。しかし、ＨＮＢの導入に伴い、ＷＴＲＵは、現在のセルの信号強度が設定閾値を上回っているとしても、ＨＮＢに接続されるのを好むことがある。従来のセル再選択トリガ基準は、現在のセルの信号強度が設定閾値を上回っているとしても、ＨＮＢセルに移行するためのセル再選択測定がトリガされるように変更される。
【００２８】
ＨＮＢセルに移行するためのセル再選択測定は、手動でトリガすることができる。ユーザは、自分が好むＨＮＢの付近にいる場合、セル再選択を要求することができる。
【００２９】
ＨＮＢセルに移行するためのセル再選択測定は、定期的にトリガすることができる。ＣＳＧの一部であるＷＴＲＵ１１０は、ＨＮＢを定期的にチェックするように構成することができる。定期的なサーチは、ＷＴＲＵ１１０がＨＮＢ１２０の付近にいる場合、または構成されたＰＬＭＮ（公衆地上移動体ネットワーク（ｐｕｂｌｉｃ  ｌａｎｄ  ｍｏｂｉｌｅ  ｎｅｔｗｏｒｋ））にＷＴＲＵ１１０が接続されている場合は常時、実行することができる。
【００３０】
ＨＮＢセルに移行するためのセル再選択は、パラメータＳintrasearchおよびＳinterSearchを適切に設定することによって、円滑に行うことができる。ネットワーク（例えばＲＮＣ（無線ネットワークコントローラ（ｒａｄｉｏ  ｎｅｔｗｏｒｋ  ｃｏｎｔｒｏｌｌｅｒ）））は、ＷＴＲＵ１１０がＣＳＧの一部であるＨＮＢセルを含むマクロセル１３２にＷＴＲＵ１１０が入ったときに、パラメータＳintrasearchおよびＳinterSearchを非常に低い値に設定することができる。これにより、セル再選択測定がより頻繁にトリガされる。これにより、レガシＷＴＲＵの場合も同様に、セル再選択測定がより頻繁にトリガされる。したがって、代替として、ＨＮＢ機能をサポートするＷＴＲＵに対してのみ、新しいＨＮＢ  ＳintrasearchパラメータおよびＨＮＢ  Ｓintersearchパラメータをブロードキャストすることができ。
【００３１】
あるいは、マクロセル１３２は、定期的なセルサーチを開始するようＷＴＲＵ１１０に指示するフラグまたは専用メッセージを送信することができる。
【００３２】
ネットワークは、（マクロセル１３２に対する）ＨＮＢ１２０ａ、１２０ｂの所在位置を知ることができ、マクロセル１３２は、近隣リスト内にＨＮＢセル１２２ａ、１２２ｂについての情報を含むことができ、近隣リストは、（例えば周波数内／周波数間セル情報リストの一部として）マクロセル１３２によってＷＴＲＵ１１０にブロードキャストされる。あるいは、マクロセル１３２は、マクロセルによってカバーされるすべてのＨＮＢ１２０ａ、１２０ｂによってサポートされるすべてのＣＳＧのＩＤからなるリストをブロードキャストすることができる。ＷＴＲＵ１１０は、ＷＴＲＵ１１０が属するＣＳＧのＩＤを読み取った場合、ＨＮＢセルサーチをトリガする。
【００３３】
あるいは、ＷＴＲＵ１１０は、ＨＮＢ１２０が所在するマクロセル１３２のＬＡ（またはＴＡ（トラッキングエリア）もしくはＲＡ（ルーティングエリア）、これ以降は一括して「ＬＡ」）あるいはＣＥＬＬ  ＩＤを記憶していることができる。ＷＴＲＵ１１０は、保存されたＬＡまたはＣＥＬＬ  ＩＤを有するマクロセル１３２にＷＴＲＵ１１０が入ったことを検出した場合、そのＨＮＢ１２０を探索するセルサーチを自動的にトリガする。ＨＮＢ１２０が検出されない場合、ＷＴＲＵ１１０は、保存されたＬＡまたはＣＥＬＬ  ＩＤを有するマクロセル１３２に接続されている限り、定期的にサーチをトリガすることができる。
【００３４】
ＨＮＢ１２０が別個の周波数を使用する場合、ＷＴＲＵ１１０がＨＮＢ周波数間におけるサーチを優先させるならば、マクロセル１３２からＨＮＢセル１２２ａ、１２２ｂに移行するためのセル再選択の測定は、ＦＡＣＨ（下りアクセスチャネル（ｆｏｒｗａｒｄ  ａｃｃｅｓｓ  ｃｈａｎｎｅｌ））測定の機会に実行することができる。
【００３５】
ＷＴＲＵ１１０は、近隣セルに関する測定をトリガした場合、セル再選択基準の評価の際に、ＨＮＢセル１２２ａ、１２２ｂを好んで選ぶべきである。これは、ＨＮＢセル１２２ａ、１２２ｂが好んで選ばれるように測定を偏向させるセルの個々のオフセットを使用することによって、達成することができる。あるいは、セル再選択評価基準は、優先順位を含むように変更することができる。あるいは、ＨＮＢ１２０ａ、１２０ｂは、マクロセルのＰＬＭＮよりも高い優先順位を与えることができる（すなわち好ましいＰＬＭＮとして構成された）異なるＰＬＭＮ  ＩＤを有するように構成することができる。
【００３６】
リリース８  ＷＴＲＵは、ＨＮＢセルへのキャンプオンについての保存された履歴に基づいて、セル再選択手順を適合させることができる。ＷＴＲＵ１１０は、この履歴に応じて、ＨＮＢセル１２２ａ、１２２ｂおよびマクロセル１３２の監視を増加させること、または減少させることができる。例えば、ＷＴＲＵ１１０は、ＨＮＢセル１２２ａ、１２２ｂにキャンプオンしている場合、または最近までキャンプオンしていた場合、ＨＮＢセル１２２ａ、１２２ｂおよびマクロセル１３２を監視し続けることができる。他方、ＷＴＲＵ１１０は、しばらくの間、ＨＮＢセル１２２ａ、１２２ｂにキャンプオンしていない場合、より少ない頻度でＨＮＢセル１２２ａ、１２２ｂを監視することができる。状態を決定するためのパラメータは、専用ＲＲＣ（無線リソース制御（ｒａｄｉｏ  ｒｅｓｏｕｒｃｅ  ｃｏｎｔｒｏｌ））シグナリングを通して、システム情報のブロードキャストを通して設定することができ、または指定（ハードコード）することができる。
【００３７】
ＨＮＢ１２０は（例えば３０ｋｍ／時よりも遅い）低速のＷＴＲＵ１１０だけをサポートすれば良いという要件が存在することがあるので、リリース８  ＷＴＲＵは、モビリティ情報を使用して、ＨＮＢセルに移行するためのセル選択および再選択を制限することができる。ＷＴＲＵ１１０は、時間ウィンドウ内のセル再選択の数をカウントすることによって、リリース７におけるのと同様に、高モビリティを監視することができる。この数が閾値を超えた場合、ＷＴＲＵ１１０は、自らを高モビリティＷＴＲＵであると宣言する。閾値およびウィンドウサイズは、ネットワークによって設定され、高い確率でＷＴＲＵ１１０が低速ＷＴＲＵでなくなる場合には、高モビリティであると宣言するように適合させることができる。
【００３８】
ＨＮＢセルのより小さなセルサイズをより良く考慮するために、ＨＮＢにキャンプオンするＷＴＲＵ向けの新しい高モビリティ決定手順を定義することができる。加えて、それは、ＨＮＢセルに移行するためのセル再選択のカウントだけに基づくことができる。例えば、ＷＴＲＵ１１０は、（セル再選択の代わりに）最良とランク付けされるセルの変化または変動に基づいて、高モビリティを決定することができる。ＷＴＲＵ１１０は、連続する時間間隔（持続時間はＨＮＢセルの典型的なサイズに基づくことができる）にわたって最良セルを監視することができ、最良セルが頻繁に変化する場合、高モビリティであると宣言することができる。
【００３９】
ＣＥＬＬ＿ＤＣＨにある間、ＷＴＲＵ１１０は、ＲＲＣシグナリングを介してＲＮＣに測定結果を報告する。これらの測定の一部として、ＷＴＲＵ１１０は、ＨＮＢセルがその検出された組の一部になったことを報告することができる。ＷＴＲＵ１１０がこのＨＮＢセルへのアクセスを許可される場合、ＲＮＣは、このセルを監視し続けるよう（ＲＲＣメッセージを介して）ＷＴＲＵ１１０に通知することができる。ＷＴＲＵ１１０がセルへのアクセスを許可されない場合、ＷＴＲＵ１１０は、将来の測定においてそのセルを無視せよという通知を受けることができる。加えて、ＨＮＢセルが別個の周波数キャリア上にある場合、ＷＴＲＵ１１０がＨＮＢへのアクセスを許可されないならば、ＲＮＣはさらに、この周波数全体について将来の測定を阻止することができる。ネットワークは、検出ＨＮＢセル対マクロセルついての測定報告をトリガするための異なる構成パラメータ（閾値）を有することができる。
【００４０】
ネットワークは、これ以降で開示される実施形態の１つを使用して、ＨＮＢ１２０の所在位置を決定することができる。ＨＮＢ１２０には、他のノードＢからの送信を測定する能力を提供することができる。この情報は、ＨＮＢ所在位置決定のために、ネットワークに送信することができる。
【００４１】
または、ＷＴＲＵ１１０からの測定情報に基づいてＨＮＢ１２０がどこに所在するかをネットワークが決定できるように、ＷＴＲＵ１１０は、すべての周波数を監視またはスキャンし、測定情報をネットワークに返送するように命じられることもある。測定は、マクロノードＢ  １３０によってそのブロードキャスト情報内のフラグを用いてトリガすることができる。あるいは、ネットワークに測定を要求するために新しいＲＲＣメッセージを送信することもできる。これは、圧縮モードのような動作を必要とすることがある。
【００４２】
また他の方法として、ＷＴＲＵ１１０は、２つのセル（マクロセル１３２と、一方が利用可能であるならばＨＮＢセル１２２ａまたはＨＮＢセル１２２ｂ）に同時にキャンプオンすることもできる。ＷＴＲＵ１１０は、ＷＴＲＵ１１０が両方のセルと通信できるように、（アップリンクおよびダウンリンクにおいて）両方のセルへの送信を時分割多重化することができる。その場合、ネットワークは、マクロセル１３２に対するＨＮＢ１２０のおおよその所在位置を決定することができる。その後、ネットワークは、ＷＴＲＵ１１０をノードＢの１つに振り向ける（ｄｉｒｅｃｔ）ことができる。
【００４３】
ＷＴＲＵの呼び出しに関する実施形態が以下で開示される。
【００４４】
ＨＮＢセル１２２ａ、１２２ｂにキャンプオンしている（ＩＤＬＥ状態、ＣＥＬＬ＿ＰＣＨ状態、またはＵＲＡ＿ＰＣＨ状態にある）ＷＴＲＵ１１０は、移動体を終点とする呼のために、ネットワークによって呼び出される必要がある。ＩＤＬＥモードの場合、ネットワークは、ＬＡまたはＲＡレベルでＷＴＲＵ１１０の所在位置を知っており、ＬＡまたはＲＡに属するすべてのセルにおいてＷＴＲＵ１１０を呼び出す。ＣＥＬＬ＿ＰＣＨにあるＷＴＲＵの場合、ネットワークは、セルレベルでＷＴＲＵ１１０の所在位置を知っており、ＷＴＲＵ１１０は、特定のセルにおいてのみ呼び出される。ＵＲＡ＿ＰＣＨにあるＷＴＲＵの場合、ネットワークは、ＵＲＡレベルでＷＴＲＵ１１０の所在位置を知っており、ＵＲＡのすべてのセルにおいてＷＴＲＵ１１０を呼び出す。
【００４５】
ＬＡ（またはＲＡもしくはＴＡ）が２つ以上のＨＮＢ  ＧＷにまたがる場合、ＨＮＢ  ＧＷは、ＧＷ識別子を各ＴＡ／ＬＡ／ＲＡ更新メッセージに追加することができる。その後、ネットワークは、最初に、最後にアクセスされたＨＮＢ  ＧＷにおいて、次に、ＴＡ／ＲＡ／ＬＡを構成する残りのＧＷにおいて、ＷＴＲＵ１１０を呼び出すことができる。
【００４６】
ＴＡ／ＬＡ／ＲＡが単一のＨＮＢ  ＧＷにまたがる場合、単一のＨＮＢ  ＧＷ下のＨＮＢは、ＨＰＡ（ＨＮＢ呼び出しエリア（ＨＮＢ  ｐａｇｉｎｇ  ａｒｅａ））に細分することができる。ＨＰＡ識別子は、システム情報の一部としてブロードキャストすることができ、セル再選択中に読み取ることができる。ＷＴＲＵ１１０がＨＰＡ境界を横断するとき、ＨＰＡ更新をトリガすることができる。ＨＰＡ更新は、ＨＮＢ  ＧＷを終点とすることができる。ネットワークは、呼び出しメッセージをＨＮＢ  ＧＷに送信することができ、ＨＮＢ  ＧＷが、最後にアクセスされたＨＰＡにそれを転送する。ＴＡ／ＲＡ／ＬＡが２つ以上のＨＮＢ  ＧＷにまたがる場合も、この実施形態を使用することができる。
【００４７】
ＨＮＢ１２０には、ＨＮＢ１２０が移動されたときにＨＮＢセルに関連付けられたＵＲＡリストを動的に変更する（またはＵＲＡリストをネットワークが変更できるようにネットワークに入力する）能力を提供することができる。これは、ＨＮＢ位置確認情報を使用することによって達成することができる。以下の技法の１つまたは任意の組み合わせを使用することができる。
【００４８】
ネットワークは、オーバレイマクロセルに基づいてＵＲＡを割り当てることができる。すなわち、ＵＲＡリストは、オーバレイマクロセルのＵＲＡリストと同一にすることができる。ＨＮＢ１２０が新しいマクロセルカバレージエリアに移動された場合、ネットワークは、ＨＮＢ１２０内のＵＲＡリストをしかるべく更新することができる。
【００４９】
または、ＨＮＢ１２０は、その位置を決定するために、何らかの位置決定デバイス（例えばＧＰＳ（全地球測位システム（ｇｌｏｂａｌ  ｐｏｓｉｔｉｏｎｉｎｇ  ｓｙｓｔｅｍ）））を使用することもできる。ＨＮＢ１２０は、所在位置をネットワークに提供する。ネットワークは、実際のＨＮＢ所在位置とＵＲＡ境界とを相互に参照し、ＨＮＢ１２０が移動されている場合にはＵＲＡリストを更新する。
【００５０】
さらに他の方法として、ネットワークは、報告されたＷＴＲＵ測定を使用して、近隣セル情報を取り出し、ＨＮＢのおおよその所在位置を決定することもできる。ネットワークは、この情報を使用して、ＨＮＢ  ＵＲＡリストを設定することができる。
【００５１】
さらには、ＵＲＡリストは、他の何らかの基準に結び付けることができる。例えば、キャンパスタイプの配備では、管理エンティティは、ＨＮＢの物理的所在位置、タイプ、もしくは（ＨＮＢバックホールの容量などのパラメータを考慮した）能力に従って、または組織的構造に従って（例えば、倉庫における各部門は独自のＵＲＡを有することができる）、ＨＮＢを区別（ｓｅｇｒｅｇａｔｅ）することを決定することができる。ＵＲＡアドレス空間は、Ｋレベルに分割することができる。レベル毎に、１組のＵＲＡアドレスが利用可能である。この組は、グループＵＲＡアドレスによって参照することができる。各管理エンティティは、１つまたは複数のグループＵＲＡアドレスを割り当てられ、これらのグループＵＲＡアドレスの各々は、１組のＵＲＡに関連付けられる。この第１のレベル内のＵＲＡアドレスは、管理エンティティによって割り当てられる。ＨＮＢは、ＵＲＡリストを用いて、手動で、または何らかのＯＡＭ手順を通して構成することができる。ネットワークがＷＴＲＵを呼び出す場合、ゲートウェイは、ＷＴＲＵ  ＩＤからＵＲＡを確定した後、呼び出しメッセージをどこに転送すべきかを決定することができる。
【００５２】
上で開示された実施形態は、別々の実施形態として提示されたが、単独でも、または他の実施形態と組み合わせても使用できることに留意されたい。技法の多くは他の無線アクセス技術（例えば３Ｇ  ＬＴＥ（ロングタームエボリューション：ｌｏｎｇ  ｔｅｒｍ  ｅｖｏｌｕｔｉｏｎ））にも適用できることにさらに留意されたい。
【００５３】
図３は、ＷＴＲＵ３００の一例についてのブロック図である。ＷＴＲＵは、送受信機３０２と、コントローラ３０４とを含む。コントローラ３０４は、上で開示されたように、ＨＮＢからＨＮＢアクセス制限情報を受信し、ＨＮＢアクセス制限情報に基づいて、ＨＮＢへのアクセスが許可されていると決定された場合に、ＨＮＢにアクセスするように適合される。
【００５４】
ＷＴＲＵ３００は、近隣セルまたは他の周波数に関する測定を実行するように適合された測定ユニット３０６をさらに含むことができる。セル再選択のための測定は、上で開示されたように、現在接続中のセルの信号強度がセル再選択の閾値を上回っている場合であっても、トリガされ、実行される。コントローラ３０４は、ＨＮＢセルに移行するためのセル再選択基準が満たされている場合に、ＨＮＢセルに移行するためのセル再選択を実行する。測定は、手動で、定期的に、ＷＴＲＵ３００がＣＳＧの一部であるＨＮＢセルを含むマクロセルにＷＴＲＵ３００が入ったときにパラメータＳintrasearchおよびＳinterSearchをより低い値に設定することによって、定期的セルサーチを要求するネットワークからのメッセージに従って、近くに所在するＨＮＢセルについての情報を含む、マクロセルから受け取った近隣セルリストに基づいて、トリガすることができる。測定は、検出されたＬＡまたはマクロセルのセル識別情報に基づいて、ＨＮＢを含むマクロセルにＷＴＲＵ  ３００が入ったと決定された場合に、トリガすることができる。測定は、ＷＴＲＵモビリティに応じて実行することができる。
【００５５】
図４は、ＨＮＢサービスをサポートするための装置４００（ＨＮＢ  ＧＷなど）のブロック図である。装置４００は、送受信機４０２と、コントローラ４０４とを含む。コントローラ４０４は、上で述べられた機能および手順を実行するように構成される。例えば、ＷＴＲＵがＬＡ更新を行うとき、コントローラ４０４は、ＧＷ識別子を追加することができ、ネットワークが、最後にアクセスされたＨＮＢ  ＧＷにＷＴＲＵ宛ての呼び出しメッセージを送信することを可能にする。コントローラ４０４は、最後にアクセスされたＨＮＢ  ＧＷを通してＷＴＲＵが見つからなかった場合、ＬＡを構成する残りのＧＷに呼び出しメッセージを送信することができる。コントローラ４０４は、ＨＮＢゲートウェイ下のＨＮＢがＨＰＡ（ＨＮＢ呼び出しエリア）に細分されている場合、最後にアクセスされたＨＰＡに呼び出しメッセージを送信することができる。別の実施形態によれば、ＨＮＢが移動された場合、コントローラ４０４は、ＨＮＢセルに関連付けられたＵＲＡリストを更新することができる。
【００５６】
図５は、ノードＢ５００の一例についてのブロック図である。ノードＢ５００は、送受信機５０２と、コントローラ５０４とを含む。コントローラ５０４は、上で述べられたＨＮＢサービスをサポートするための機能および手順を実行するように適合される。例えば、コントローラ５０４は、ＨＮＢアクセス制限情報をＷＴＲＵに送信し、ＨＮＢアクセス制限情報に基づいて登録を許可されたＷＴＲＵを受け入れるように適合される。
【００５７】
実施形態
１．ＨＮＢサービスを受信する方法。
【００５８】
２．ＷＴＲＵがＨＮＢからＨＮＢアクセス制限情報を受信するステップを含む実施形態１に記載の方法。
【００５９】
３．ＨＮＢアクセス制限情報に基づいて、ＨＮＢへのアクセスが許可されていると決定された場合に、ＷＴＲＵがＨＮＢにアクセスするステップを含む実施形態２に記載の方法。
【００６０】
４．ＨＮＢアクセス制限情報は、ＣＳＧ  ＩＤであり、ＷＴＲＵは、ＷＴＲＵがＣＳＧ  ＩＤを有するように構成された場合に、ＨＮＢにアクセスする実施形態２〜３のいずれか１つに記載の方法。
【００６１】
５．ＨＮＢアクセス制限情報は、ＨＮＢセルが利用可能かどうかを示すステータスビットであり、ＷＴＲＵは、ＨＮＢセルが利用可能であることをステータスビットが示す場合に、ＨＮＢにアクセスする実施形態２〜４のいずれか１つに記載の方法。
【００６２】
６．ＨＮＢアクセス制限情報は、ＨＮＢへのアクセスを許可されているＷＴＲＵの識別情報であり、ＷＴＲＵは、ＷＴＲＵ識別情報に基づいて、アクセスが許可されている場合に、ＨＮＢにアクセスする実施形態２〜５のいずれか１つに記載の方法。
【００６３】
７．ＨＮＢ機能をサポートしないレガシＷＴＲＵがノードＢへのアクセスを阻止されるように、ＨＮＢアクセス制限情報としてセル禁止／予約ステータスビットが使用される実施形態２〜６のいずれか１つに記載の方法。
【００６４】
８．ＨＮＢ機能をサポートするＲ８  ＷＴＲＵがセル禁止／予約ステータスビットを無視してＨＮＢセルにアクセスするように、セルがＨＮＢセルであることを通知するＨＮＢ特有の表示を受信するステップをさらに含む実施形態７に記載の方法。
【００６５】
９．ＨＮＢサービスを受信するための方法。
【００６６】
１０．ＷＴＲＵが近隣セルに関する測定を実行するステップであって、測定は、現在接続中のセルにおける信号強度がセル再選択のための閾値を上回る場合であってもトリガされるステップを含む実施形態９に記載の方法。
【００６７】
１１．ＨＮＢセルに移行するためのセル再選択基準が満たされる場合、ＷＴＲＵがＨＮＢセルに移行するためのセル再選択を実行するステップを含む実施形態１０に記載の方法。
【００６８】
１２．ＷＴＲＵがそのＣＳＧの一部であるＨＮＢセルを含むマクロセルにＷＴＲＵが入った場合、セル再選択測定をトリガするための閾値は、より低い値に設定される実施形態１０〜１１のいずれか１つに記載の方法。
【００６９】
１３．ＷＴＲＵが定期的なセルサーチを要求するメッセージをネットワークから受信するステップであって、測定は、メッセージによってトリガされるステップをさらに含む実施形態１０〜１２のいずれか１つに記載の方法。
【００７０】
１４．ＷＴＲＵがセルサーチのための測定を開始するよう指示する手動指示をユーザから受信するステップであって、測定は、手動指示によってトリガされるステップをさらに含む実施形態１０〜１２のいずれか１つに記載の方法。
【００７１】
１５．ＷＴＲＵがマクロセルから近隣セルリストを受信するステップであって、近隣セルリストは、近くに所在するＨＮＢセルについての情報を含み、測定は、近隣セルリストに基づいてトリガされるステップをさらに含む実施形態１０〜１４のいずれか１つに記載の方法。
【００７２】
１６．ＷＴＲＵがＬＡとマクロセルのセル識別情報の少なくとも一方を検出するステップであって、測定は、検出されたＬＡまたはセル識別情報に基づいて、ＨＮＢを含むマクロセルにＷＴＲＵが入ったと決定された場合にトリガされるステップをさらに含む実施形態１０〜１５のいずれか１つに記載の方法。
【００７３】
１７．ＨＮＢセルが別個の周波数を使用する場合、ＷＴＲＵは、ＦＡＣＨ測定の機会に、ＨＮＢ周波数間におけるサーチを優先させる実施形態１０〜１６のいずれか１つに記載の方法。
【００７４】
１８．セル再選択に関して、マクロセルよりも高い優先順位が、ＨＮＢセルに与えられる実施形態１０〜１７のいずれか１つに記載の方法。
【００７５】
１９．ＨＮＢセルにおける測定の頻度は、ＨＮＢセルに移行するためのセル再選択の履歴に基づいて設定される実施形態１０〜１８のいずれか１つに記載の方法。
【００７６】
２０．ＷＴＲＵがＷＴＲＵモビリティを監視するステップであって、ＨＮＢセルにおける測定は、ＷＴＲＵモビリティに応じて実行されるステップをさらに含む実施形態１０〜１９のいずれか１つに記載の方法。
【００７７】
２１．ＷＴＲＵモビリティは、ＨＮＢセルに移行するためのセル再選択のカウントに基づいて決定される実施形態２０に記載の方法。
【００７８】
２２．ＷＴＲＵモビリティを監視するためのモビリティ閾値およびウィンドウサイズは、ＷＴＲＵが低速であるかどうかを決定できるように適合される実施形態２０〜２１のいずれか１つに記載の方法。
【００７９】
２３．ＷＴＲＵモビリティは、最良セルの変化の頻度に基づいて決定される実施形態２０〜２２のいずれか１つに記載の方法。
【００８０】
２４．ＷＴＲＵが測定報告をネットワークに送信するステップであって、測定報告は、検出されたＨＮＢセルを含む、ステップをさらに含む実施形態１０〜２３のいずれか１つに記載の方法。
【００８１】
２５．ＷＴＲＵがネットワークからメッセージを受信するステップであって、メッセージは、ＷＴＲＵがＨＮＢセルにアクセスすることを許可された場合に、ＨＮＢセルの連続監視を指示し、ＨＮＢセルに移行するためのセル再選択は、メッセージに応じて実行されるステップをさらに含む実施形態２４に記載の方法。
【００８２】
２６．ＨＮＢサービスをサポートする方法。
【００８３】
２７．ＷＴＲＵ宛ての呼び出しメッセージを受信するステップを含む実施形態２６に記載の方法。
【００８４】
２８．最後にアクセスされたＨＮＢ  ＧＷにおいて、ＷＴＲＵを呼び出すステップであって、ＬＡが、２つ以上のＨＮＢ  ＧＷにまたがる、ステップを含む実施形態２７に記載の方法。
【００８５】
２９．ＷＴＲＵが最後にアクセスされたＨＮＢ  ＧＷを通して見つからない場合、ＬＡを構成する残りのＨＮＢ  ＧＷにおいて、ＷＴＲＵを呼び出すステップを含む実施形態２８に記載の方法。
【００８６】
３０．ＬＡ更新メッセージは、ＬＡ更新メッセージを転送するＨＮＢ  ＧＷの識別情報を含む実施形態２７〜２９のいずれか１つに記載の方法。
【００８７】
３１．ＨＮＢサービスをサポートするための方法。
【００８８】
３２．呼び出しメッセージを受信するステップを含む実施形態３１に記載の方法。
【００８９】
３３．最後にアクセスされたＨＰＡに呼び出しメッセージを送信するステップであって、ＨＮＢ  ＧＷ下のＨＮＢは、複数のＨＰＡに分割されるステップを含む実施形態３２に記載の方法。
【００９０】
３４．ＨＮＢサービスをサポートするための方法。
【００９１】
３５．ＨＮＢの所在位置を決定するステップを含む実施形態３４に記載の方法。
【００９２】
３６．ＨＮＢが移動されたときに、ＨＮＢセルに関連付けられたＵＲＡリストを更新するステップを含む実施形態３５に記載の方法。
【００９３】
３７．ＵＲＡは、オーバレイされたマクロセルに基づいて、ＨＮＢに割り当てられる実施形態３６に記載の方法。
【００９４】
３８．ＨＮＢの所在位置は、ＨＮＢによって決定され、報告された所在位置に基づいてＵＲＡリストが更新されるように、ネットワークに報告される実施形態３５〜３７のいずれか１つに記載の方法。
【００９５】
３９．ＨＮＢの所在位置は、ＷＴＲＵから報告された測定に基づいて決定される実施形態３５〜３８のいずれか１つに記載の方法。
【００９６】
４０．ＨＮＢサービスを受信するためのＷＴＲＵ。
【００９７】
４１．信号を送信および受信するように適合された送受信機を含む実施形態４０に記載のＷＴＲＵ。
【００９８】
４２．ＨＮＢからＨＮＢアクセス制限情報を受信し、ＨＮＢアクセス制限情報に基づいて、ＨＮＢへのアクセスが許可されていると決定された場合に、ＨＮＢにアクセスするように適合されたコントローラを含む実施形態４１に記載のＷＴＲＵ。
【００９９】
４３．ＨＮＢアクセス制限情報は、ＣＳＧ  ＩＤであり、コントローラは、ＷＴＲＵがＣＳＧ  ＩＤを有するように構成された場合に、ＨＮＢにアクセスする実施形態４２に記載のＷＴＲＵ。
【０１００】
４４．ＨＮＢアクセス制限情報は、ＨＮＢセルが利用可能かどうかを示すステータスビットであり、コントローラは、ＨＮＢセルが利用可能であることをステータスビットが示す場合に、ＨＮＢにアクセスする実施形態４２〜４３のいずれか１つに記載のＷＴＲＵ。
【０１０１】
４５．ＨＮＢアクセス制限情報は、ＨＮＢへのアクセスを許可されているＷＴＲＵの識別情報であり、コントローラは、ＷＴＲＵ識別情報に基づいて、アクセスが許可されている場合に、ＨＮＢにアクセスする実施形態４２〜４４のいずれか１つに記載のＷＴＲＵ。
【０１０２】
４６．ＨＮＢ機能をサポートしないレガシＷＴＲＵがノードＢへのアクセスを阻止されるように、ＨＮＢアクセス制限情報としてセル禁止／予約ステータスビットが使用される実施形態４２〜４５のいずれか１つに記載のＷＴＲＵ。
【０１０３】
４７．ＨＮＢ機能をサポートするＲ８  ＷＴＲＵがセル禁止／予約ステータスビットを無視してＨＮＢセルにアクセスするように、コントローラは、セルがＨＮＢセルであることを通知するＨＮＢ特有の表示を受信する実施形態４６に記載のＷＴＲＵ。
【０１０４】
４８．ＨＮＢサービスを受信するためのＷＴＲＵ。
【０１０５】
４９．信号を送信および受信するように適合された送受信機を含む実施形態４８に記載のＷＴＲＵ。
【０１０６】
５０．近隣セルに関する測定を実行するように適合された測定ユニットであって、測定は、現在接続中のセルにおける信号強度がセル再選択のための閾値を上回る場合であってもトリガされる、測定ユニットを含む実施形態４９に記載のＷＴＲＵ。
【０１０７】
５１．ＨＮＢセルに移行するためのセル再選択基準が満たされる場合、ＨＮＢセルに移行するためのセル再選択を実行するように適合されたコントローラを含む実施形態５０に記載のＷＴＲＵ。
【０１０８】
５２．ＷＴＲＵがそのＣＳＧの一部であるＨＮＢセルを含むマクロセルにＷＴＲＵが入った場合、セル再選択測定をトリガするための閾値は、より低い値に設定される実施形態５０〜５１のいずれか１つに記載のＷＴＲＵ。
【０１０９】
５３．測定は、定期的なセルサーチを要求するネットワークから受信するメッセージによってトリガされる実施形態５０〜５２のいずれか１つに記載のＷＴＲＵ。
【０１１０】
５４．測定は、ユーザからの手動指示によってトリガされる実施形態５０〜５２のいずれか１つに記載のＷＴＲＵ。
【０１１１】
５５．測定は、マクロセルから受信する近隣セルリストに基づいてトリガされ、近隣セルリストは、近くに所在するＨＮＢセルについての情報を含む実施形態５０〜５４のいずれか１つに記載のＷＴＲＵ。
【０１１２】
５６．測定は、検出されたＬＡまたはマクロセルのセル識別情報に基づいて、ＨＮＢを含むマクロセルにＷＴＲＵが入ったと決定された場合にトリガされる実施形態５０〜５５のいずれか１つに記載のＷＴＲＵ。
【０１１３】
５７．セル再選択に関して、マクロセルよりも高い優先順位が、ＨＮＢセルに与えられる実施形態５０〜５６のいずれか１つに記載のＷＴＲＵ。
【０１１４】
５８．ＨＮＢセルにおける測定の頻度は、ＨＮＢセルに移行するためのセル再選択の履歴に基づいて設定される実施形態５０〜５７のいずれか１つに記載のＷＴＲＵ。
【０１１５】
５９．ＨＮＢセルにおける測定は、ＷＴＲＵモビリティに応じて実行される実施形態５０〜５８のいずれか１つに記載のＷＴＲＵ。
【０１１６】
６０．ＷＴＲＵモビリティは、ＨＮＢセルに移行するためのセル再選択のカウントに基づいて決定される実施形態５９に記載のＷＴＲＵ。
【０１１７】
６１．ＷＴＲＵモビリティを監視するためのモビリティ閾値およびウィンドウサイズは、ＷＴＲＵが低速であるかどうかを決定できるように適合される実施形態５９〜６０のいずれか１つに記載のＷＴＲＵ。
【０１１８】
６２．ＷＴＲＵモビリティは、最良セルの変化の頻度に基づいて決定される実施形態５９〜６１のいずれか１つに記載のＷＴＲＵ。
【０１１９】
６３．コントローラは、検出されたＨＮＢセルを含む測定報告をネットワークに送信し、ネットワークから受信したメッセージに基づいて、セル再選択を実行するように適合され、メッセージは、ＷＴＲＵがＨＮＢセルにアクセスすることを許可された場合に、ＨＮＢセルの連続監視を指示する実施形態５０〜６２のいずれか１つに記載のＷＴＲＵ。
【０１２０】
６４．ＨＮＢサービスをサポートする装置。
【０１２１】
６５．ＷＴＲＵ宛ての呼び出しメッセージを受信するように適合された送受信機を含む実施形態６４に記載の装置。
【０１２２】
６６．最後にアクセスされたＨＮＢ  ＧＷにＷＴＲＵ宛ての呼び出しメッセージを送信するように適合されたコントローラであって、ＬＡが、２つ以上のＨＮＢ  ＧＷにまたがり、ＷＴＲＵが最後にアクセスされたＨＮＢ  ＧＷを通して見つからない場合、ＬＡを構成する残りのＨＮＢ  ＧＷに呼び出しメッセージを送信するように適合されたコントローラを含む実施形態６５に記載の装置。
【０１２３】
６７．コントローラは、ＨＮＢ  ＧＷ識別情報をＬＡ更新メッセージに追加する実施形態６６に記載の装置。
【０１２４】
６８．ＨＮＢサービスをサポートするための装置。
【０１２５】
６９．呼び出しメッセージを受信するように適合された送受信機を含む実施形態６８に記載の装置。
【０１２６】
７０．最後にアクセスされたＨＰＡに呼び出しメッセージを送信するように適合されたコントローラであって、ＨＮＢゲートウェイ下のＨＮＢは、複数のＨＰＡに細分されるコントローラを含む実施形態６９に記載の装置。
【０１２７】
７１．送受信機を含む実施形態６８に記載の装置。
【０１２８】
７２．ＨＮＢの所在位置を決定し、ＨＮＢが移動されたときに、ＨＮＢセルに関連付けられたＵＲＡリストを更新するように適合されたコントローラを含む実施形態７１に記載の装置。
【０１２９】
７３．ＵＲＡは、オーバレイされたマクロセルに基づいて、ＨＮＢに割り当てられる実施形態７２に記載の装置。
【０１３０】
７４．ＨＮＢの所在位置は、ＨＮＢによって決定され、報告された所在位置に基づいてＵＲＡリストが更新されるように、ネットワークに報告される実施形態７２〜７３のいずれか１つに記載の装置。
【０１３１】
７５．ＨＮＢの所在位置は、ＷＴＲＵから報告された測定に基づいて決定される実施形態７２〜７４のいずれか１つに記載の装置。
【０１３２】
７６．ＨＮＢの所在位置は、マクロセルとＨＮＢセルへの同時接続に基づいて決定される実施形態７２〜７５のいずれか１つに記載の装置。
【０１３３】
７７．ＨＮＢサービスをサポートするための方法。
【０１３４】
７８．ＨＮＢアクセス制限情報をＷＴＲＵに送信するステップを含む実施形態７７に記載の方法。
【０１３５】
７９．ＨＮＢアクセス制限情報に基づいて、キャンプオンを許可されたＷＴＲＵを受け入れるステップを含む実施形態７８に記載の方法。
【０１３６】
８０．ＨＮＢアクセス制限情報は、ＣＳＧ  ＩＤであり、ＷＴＲＵは、ＷＴＲＵがＣＳＧ  ＩＤを有するように構成された場合に、ＨＮＢにアクセスする実施形態７８〜７９のいずれか１つに記載の方法。
【０１３７】
８１．セル制限情報は、ＨＮＢセルが利用可能かどうかを示すステータスビットであり、ＷＴＲＵは、ＨＮＢセルが利用可能であることをステータスビットが示す場合に、ＨＮＢにアクセスする実施形態７８〜８０のいずれか１つに記載の方法。
【０１３８】
８２．ステータスビットは、ＨＮＢにキャンプオンしているＷＴＲＵ、アップリンクおよび／またはダウンリンク負荷ステータス、ならびにバックホール負荷のうちの少なくとも１つに基づいて設定される実施形態７８〜８１のいずれか１つに記載の方法。
【０１３９】
８３．ＨＮＢアクセス制限情報は、ＨＮＢへのアクセスを許可されているＷＴＲＵの識別情報であり、ＷＴＲＵは、ＷＴＲＵ識別情報に基づいて、アクセスが許可されている場合に、ＨＮＢにアクセスする実施形態７８〜８２のいずれか１つに記載の方法。
【０１４０】
８４．ノードＢは、ＨＮＢ機能をサポートしないレガシＷＴＲＵからのノードＢへのアクセスを阻止するために、セル禁止／予約ステータスビットを、レガシＷＴＲＵに対するＨＮＢアクセス制限情報として使用する実施形態７８〜８３のいずれか１つに記載の方法。
【０１４１】
８５．周波数内セル再選択インジケータが、セル選択および再選択を適合させるために使用される実施形態８４に記載の方法。
【０１４２】
８６．周波数内セル再選択インジケータは、ＨＮＢセルが別個の周波数上にある場合、周波数全体を禁止するために使用される実施形態８５に記載の方法。
【０１４３】
８７．ＨＮＢ機能をサポートするＲ８  ＷＴＲＵがセル禁止／予約ステータスビットを無視してノードＢにアクセスするように、ノードＢがＨＮＢであることをＲ８  ＷＴＲＵに通知するＨＮＢ特有の表示をブロードキャストするステップをさらに含む実施形態７８〜８６のいずれか１つに記載の方法。
【０１４４】
８８．ＨＮＢサービスをサポートするためのノードＢ。
【０１４５】
８９．信号を送信および受信するように適合された送受信機を含む実施形態８８に記載のノードＢ。
【０１４６】
９０．ＨＮＢアクセス制限情報をＷＴＲＵに送信し、ＨＮＢアクセス制限情報に基づいて、キャンプオンを許可されたＷＴＲＵを受け入れるように適合されたコントローラを含む実施形態８９に記載のノードＢ。
【０１４７】
９１．ＨＮＢアクセス制限情報は、ＣＳＧ  ＩＤであり、ＷＴＲＵは、ＷＴＲＵがＣＳＧ  ＩＤを有するように構成された場合に、ＨＮＢにアクセスする実施形態９０に記載のノードＢ。
【０１４８】
９２．ＨＮＢアクセス制限情報は、ＨＮＢセルが利用可能かどうかを示すステータスビットであり、ＷＴＲＵは、ＨＮＢセルが利用可能であることをステータスビットが示す場合に、ＨＮＢにアクセスする実施形態９０〜９１のいずれか１つに記載のノードＢ。
【０１４９】
９３．ステータスビットは、ＨＮＢにキャンプオンしているＷＴＲＵ、アップリンクおよび／またはダウンリンク負荷ステータス、ならびにバックホール負荷のうちの少なくとも１つに基づいて設定される実施形態９２に記載のノードＢ。
【０１５０】
９４．ＨＮＢアクセス制限情報は、ＨＮＢへのアクセスを許可されているＷＴＲＵの識別情報であり、ＷＴＲＵは、ＷＴＲＵ識別情報に基づいて、アクセスが許可されている場合に、ＨＮＢにアクセスする実施形態９０〜９３のいずれか１つに記載のノードＢ。
【０１５１】
９５．ＨＮＢ機能をサポートしないレガシＷＴＲＵがノードＢへのアクセスを阻止されるように、レガシＷＴＲＵに対するＨＮＢアクセス制限情報としてセル禁止／予約ステータスビットが使用される実施形態９０〜９４のいずれか１つに記載のノードＢ。
【０１５２】
９６．コントローラは、Ｒ８  ＷＴＲＵがセル禁止／予約ステータスビットを無視してノードＢにアクセスするように、ノードＢがＨＮＢであることをＲ８  ＷＴＲＵに通知するＨＮＢ特有の表示をブロードキャストするようにさらに適合される実施形態９５に記載のノードＢ。
【０１５３】
９７．コントローラは、セル選択および再選択を適合させるために、周波数内セル再選択インジケータを送信する実施形態９６に記載のノードＢ。
【０１５４】
９８．周波数内セル再選択インジケータは、ＨＮＢセルが別個の周波数上にある場合、周波数全体を禁止するために使用される実施形態９７に記載のノードＢ。
【０１５５】
上では特徴および要素が特定の組み合わせで説明されたが、各特徴または要素は、他の特徴および要素を伴わずに単独で使用することができ、または他の特徴および要素を伴うもしくは伴わない様々な組み合わせで使用することができる。本明細書で提供された方法またはフローチャートは、汎用コンピュータまたはプロセッサによって実行される、コンピュータ可読記憶媒体に含まれるコンピュータプログラム、ソフトウェア、またはファームウェアで実施することができる。コンピュータ可読記憶媒体の例は、ＲＯＭ（リードオンリメモリ）、ＲＡＭ（ランダムアクセスメモリ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびＤＶＤ（デジタル多用途ディスク）などの光媒体を含む。
【０１５６】
適切なプロセッサは、例を挙げると、汎用プロセッサ、専用プロセッサ、従来型プロセッサ、ＤＳＰ（デジタル信号プロセッサ）、複数のマイクロプロセッサ、ＤＳＰコアと連携する１つもしくは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態マシーンを含む。
【０１５７】
ソフトウェアと連携するプロセッサは、ＷＴＲＵ（無線送受信ユニット）、ＵＥ（ユーザ機器）、端末、基地局、ＲＮＣ（無線ネットワークコントローラ）、または任意のホストコンピュータにおいて使用される無線周波数送受信機を実施するために使用することができる。ＷＴＲＵは、カメラ、ビデオカメラモジュール、ビデオフォン、スピーカフォン、バイブレーションデバイス、スピーカ、マイクロフォン、テレビトランシーバ、ハンズフリーヘッドセット、キーボード、Ｂｌｕｅｔｏｏｔｈ（登録商標）モジュール、ＦＭラジオユニット、ＬＣＤ（液晶表示）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（無線ローカルエリアネットワーク）もしくはＵＷＢ（超広帯域）モジュールなど、ハードウェアおよび／またはソフトウェアで実施されるモジュールと併せて使用することができる。
【産業上の利用可能性】
【０１５８】
本発明は、３Ｇ（第３世代）ネットワークおよび３Ｇネットワークで使用されるＷＴＲＵ（無線送受信ユニット）に利用できる。
【符号の説明】
【０１５９】
１１０  ＷＴＲＵ
１２０  ホームノードＢ
１４０  ＨＮＢゲートウェイ
１５０  コアネットワーク
【図１】
2014239487.tif 000004
【図２】
2014239487.tif 000005
【図３】
2014239487.tif 000006
【図４】
2014239487.tif 000007
【図５】
2014239487.tif 000008
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）が、セルが予約済みであることの表示を、ノードＢから受信するステップと、
前記ＷＴＲＵが、限定加入者グループ（ＣＳＧ）ブロードキャストを受信するステップと、
前記ＷＴＲＵが、前記受信されたＣＳＧブロードキャストに基づいて、セルが予約済みであることの前記表示を無視するステップと
を備えることを特徴とする方法。
【請求項２】
前記ＷＴＲＵが、限定加入者グループ識別子（ＣＳＧ  ＩＤ）を受信するステップをさらに備えることを特徴とする請求項１に記載の方法。
【請求項３】
前記ＣＳＧブロードキャストは、前記セルが利用可能であるかどうかを示しているステータスビットを含むことを特徴とする請求項１に記載の方法。
【請求項４】
前記ＣＳＧブロードキャストは、他のＷＴＲＵによって解釈され得ないものとして構成されることを特徴とする請求項１に記載の方法。
【請求項５】
前記他のＷＴＲＵは、ホームノードＢ（ＨＮＢ）機能をサポートしないことを特徴とする請求項４に記載の方法。
【請求項６】
前記他のＷＴＲＵは、レガシＷＴＲＵからなることを特徴とする請求項４に記載の方法。
【請求項７】
前記表示は、前記レガシＷＴＲＵが前記セルへアクセスするのを禁止されることを示していることを特徴とする請求項１に記載の方法。
【請求項８】
前記ＷＴＲＵは、リリース８（Ｒ８）ＷＴＲＵであることを特徴とする請求項４に記載の方法。
【請求項９】
前記ＣＳＧブロードキャストは、前記ノードＢによるシステム情報ブロック（ＳＩＢ）ブロードキャストの中に含まれていることを特徴とする請求項１に記載の方法。
【請求項１０】
前記ＣＳＧブロードキャストは、ＣＳＧ機能をサポートするＷＴＲＵが、前記セルへのアクセスを許可されていることの表示を含むことを特徴とする請求項１に記載の方法。